(57)【要約】【解決手段】上部フレーム１と、底部２と、上部フレームにその上端部が枢支されたはね上げ側壁３と、上部分割側壁４’と下部分割側壁４”とを有する分割側壁４とからなる折り畳みコンテナーにおいて、底部に形成された嵌合段部２ｃが嵌合する、はね上げ側壁の嵌合空間部４０の上部を、下部水平梁３ｃの下面から垂下された上部限定垂直リブ３０により限定したものである。【効果】底部に形成された嵌合段部が嵌合する、はね上げ側壁の嵌合空間部の上部を、下部水平梁の下面から垂下された上部限定垂直リブにより限定したので、折り畳みコンテナーの洗浄作業の作業性が向上する。【選択図】図１
2004161299.tif 000002
【特許請求の範囲】
【請求項１】
上部フレームと、底部と、上部フレームにその上端部が枢支されたはね上げ側壁と、上部分割側壁と下部分割側壁とを有する分割側壁とからなる折り畳みコンテナーにおいて、底部に形成された嵌合段部が嵌合する、はね上げ側壁の嵌合空間部の上部を、下部水平梁の下面から垂下された上部限定垂直リブにより限定したことを特徴とする折り畳みコンテナー。
【請求項２】
下部水平梁と１対の垂直梁とにより形成される、嵌合空間部が位置する空間部に、奥壁を形成したことを特徴とする請求項１に記載の折り畳みコンテナー。
【発明の詳細な説明】
【０００１】
【発明の属する技術分野】
本発明は、種々の物品の保管、輸送或いは搬送等に使用される折り畳みコンテナーに関するものである。
【０００２】
【従来の技術】
図５〜図９を用いて、従来の折り畳みコンテナーについて説明する。
【０００３】
折り畳みコンテナーは、上部フレーム１と、底部２と、上部フレーム１にその上端部がヒンジ連結された、折り畳みコンテナーの内側方向に回動可能な側壁（以下、この側壁を、はね上げ側壁という。）３と、上下に分割されているとともに、適当なヒンジ部を介して連結された側壁（以下、この側壁を、分割側壁という。）４とを有しており、分割側壁４は、ヒンジ部を挟んで上方に位置する上部分割側壁４’と、ヒンジ部を挟んで下方に位置する下部分割側壁４”とから構成されており、且つ、上部分割側壁４’の上端部が、上部フレーム１にヒンジ連結されており、また、下部分割側壁４”の下端部が、底部２にヒンジ連結されている。
【０００４】
図５に示されている箱型状態の折り畳みコンテナーの略垂直状のはね上げ側壁３を、折り畳みコンテナーの内部方向に回動させて、図６に示されているように、略水平状態とし、次いで、分割側壁４を構成する上部分割側壁４’と下部分割側壁４”を連結しているヒンジ部を、折り畳みコンテナーの内部方向に移動させて、上部分割側壁４’と下部分割側壁４”とを重ねることにより、箱型状態の折り畳みコンテナーを、図７に示されているように、高さの低いコンパクトな状態に折り畳むことができるように構成されている。また、底部２に対して上部フレーム１を持ち上げて、略水平状態に重ねられている上部分割側壁４’と下部分割側壁４”を、互いに略面一になるように略垂直に立て、次いで、上部フレーム１に、その上端部がヒンジ連結されているはね上げ側壁３を、略水平状態から垂直方向に回動させることにより、折り畳まれた状態の折り畳みコンテナーを、箱型に組み立てるように構成されている。
【０００５】
底部２は、平面形状が略長方形状の底板部２ａと、底板部２ａの周縁を囲むように、且つ、底板部２ａに対して略垂直に形成された周枠部２ｂとを有しており、周枠部２ｂを構成する短辺枠２ｂ１の中央部付近に位置する底板部２ａには、底板部２ａを上方に膨出することにより形成された嵌合段部２ｃが形成されている。
【０００６】
一方、はね上げ側壁３の下端部には、折り畳みコンテナーを箱型に組み立てた際に、底部２の短辺枠２ｂ１の中央部付近に位置する底板部２ａに形成された嵌合段部２ｃが嵌合する嵌合凹部３ａが形成されている。はね上げ側壁３の下端部には、下端水平梁３ｂと、該下端水平梁３ｂの直上に位置する下部水平梁３ｃとが形成されており、上記の嵌合凹部３ａは、下端水平梁３ｂと下部水平梁３ｃとを連結する、中央部付近の１対の垂直梁３ｄ間に位置する下端水平梁３ｂを省略するとともに、１対の垂直梁３ｄ間に、上部限定水平梁３ｅを架橋することにより形成されている。
【０００７】
折り畳みコンテナーが箱型に組み立てられた際には、はね上げ側壁３の下端部の中央部に形成された嵌合凹部３ａに、底部２の短辺枠２ｂ１の中央部付近に位置する底板部２ａに形成された嵌合段部２ｃが嵌合することにより、はね上げ側壁３と底部１との位置決めができるように構成されている。
【０００８】
【発明が解決しようとする課題】
上述した従来の折り畳みコンテナーにおいては、はね上げ側壁３の下端部の中央部に形成された嵌合凹部３ａを形成する上部限定水平梁３ｅと、該上部限定水平梁３ｅの直上に位置する下部水平梁３ｃとの間には、横長の狭い間隙３ｆが存在するために、上部限定水平梁３ｅの上面に塵等が堆積し易く、また、この間隙に入り込んだ塵等を取り除くための洗浄作業の作業性が悪いという問題があった。
【０００９】
また、はね上げ側壁３を、射出成形機で成形する場合には、上述した横長の狭い間隙３ｆを成形するための金型が薄くなり、金型が損傷し易いという問題があった。
【００１０】
本発明の目的は、上述した従来の折り畳みコンテナーが有する課題を解決することにある。
【００１１】
【課題を解決するための手段】
本発明は、上述した目的を達成するために、上部フレームと、底部と、上部フレームにその上端部が枢支されたはね上げ側壁と、上部分割側壁と下部分割側壁とを有する分割側壁とからなる折り畳みコンテナーにおいて、第１には、底部に形成された嵌合段部が嵌合する、はね上げ側壁の嵌合空間部の上部を、下部水平梁の下面から垂下された上部限定垂直リブにより限定したものであり、第２には、下部水平梁と１対の垂直梁とにより形成される、嵌合空間部が位置する空間部に、奥壁を形成したものである。
【００１２】
【実施例】
以下に、本発明の実施例について説明するが、本発明の趣旨を越えない限り何ら、本実施例に限定されるものではない。また、従来の折り畳みコンテナーのはね上げ側壁に形成された嵌合凹部が相違する以外は、実質的に、上述した従来の折り畳みコンテナーと同じ構成を有しているので、同じ構成部材については、同じ符号を使用するとともに、その詳細な説明は省略する。
【００１３】
本実施例においても、はね上げ側壁３の下端部には、下端水平梁３ｂと、該下端水平梁３ｂの直上に位置する下部水平梁３ｃとが形成されており、また、下端水平梁３ｂと下部水平梁３ｃの中央部付近には、下端水平梁３ｂと下部水平梁３ｃとを連結する１対の垂直梁３ｄが形成されているとともに、１対の垂直梁３ｄ間に位置する下端水平梁３ｂも、上述した従来の折り畳みコンテナーのはね上げ側壁３と同様に、省略されている。
【００１４】
本実施例においては、上述した従来のはね上げ側壁３に形成された上部限定水平梁３ｅに代えて、１対の垂直梁３ｄ間に位置する下部水平梁３ｃの下面には、垂直梁３ｄと略平行に、複数の上部限定垂直リブ３０が垂設されている（本実施例には、３個の上部限定垂直リブ３０が垂下されている。）。上部限定垂直リブ３０の下端３０ａにより形成される仮想水平面Ｐ１と１対の垂直梁３ｄとにより、底部２の短辺枠２ｂ１の中央部付近に位置する底板部２ａに形成された嵌合段部２ｃが嵌合する、上述した従来の折り畳みコンテナーにおける嵌合凹部３ａに対応する嵌合空間部４０が構成されている。
【００１５】
上述したように、底部２の短辺枠２ｂ１の中央部付近に位置する底板部２ａに形成された嵌合段部２ｃが嵌合する、はね上げ側壁３の嵌合空間部４０の上部を、下部水平梁３ｃの下面に垂下された複数の上部限定垂直リブ３０により限定するようにしたので、上述した従来の折り畳みコンテナーのように、上部限定水平梁３ｅに塵等が堆積するようなことがなく、また、上部限定水平梁３ｅと下部水平梁３ｃとの間に形成される横長の狭い間隙３ｆもないので、折り畳みコンテナーの洗浄作業の作業性が向上する。更に、上部限定水平梁３ｅと下部水平梁３ｃとの間に形成される横長の狭い間隙３ｆが存在しないので、嵌合空間部４０を射出成形するための金型が損傷するようなことも防止できる。
【００１６】
また、本実施例においては、上部限定垂直リブ３０と１対の垂直梁３ｄとにより形成される嵌合空間部４０の背後には、１対の垂直梁３ｄ間に配設されているとともに、１対の垂直梁３ｄの奥側に位置する下部角部３ｄ１から、前方方向で上向きに傾斜した傾斜奥壁５０ａが形成されている。この傾斜奥壁５０ａの上端は、下部水平梁３ｃの奥行きの中程に位置しており、また、傾斜奥壁５０ａの上端と下部水平梁３ｃの下面を連結するとともに、１対の垂直梁３ｄを連結する垂直奥壁５０ｂが形成されている。上記の傾斜奥壁５０ａと垂直奥壁５０ｂとにより、下部水平梁３ｃと１対の垂直梁３ｄとにより形成される空間部を仕切る奥壁５０が形成されている。このような奥壁５０を形成した場合には、上述した上部限定垂直リブ３０は、図３に示されているように、下部水平梁３ｃの下面３ｃ１と垂直奥壁５０ｂの前面５０ｂ１とにより形成される隅部に形成されることになる。
【００１７】
折り畳みコンテナーが箱型に組み立てられた際には、図４に示されているように、底部２の短辺枠２ｂ１の中央部付近に位置する底板部２ａに形成された嵌合段部２ｃが、はね上げ側壁３の上部限定垂直リブ３０と１対の垂直梁３ｄとにより形成される嵌合空間部４０に嵌合されて、底部２とはね上げ側壁３との位置決めがなされるとともに、底部２に対するはね上げ側壁３の分割側壁４方向の移動が制限され、従って、箱型に組み立てられた折り畳みコンテナーに、上方から或いは側方から加わる負荷に対して、箱型に組み立てられた折り畳みコンテナーが変形するようなことを防止することができる。
【００１８】
上述したような奥壁５０を形成しない場合には、上部限定垂直リブ３０は、下部水平梁３ｃの奥行き方向の長さＬの全長に亘たって形成することも、また、上部限定垂直リブ３０の奥行き方向の長さを、下部水平梁３ｃの奥行き方向の長さＬ以下とすることもできる。
【００１９】
上述したように、下部水平梁３ｃと１対の垂直梁３ｄとにより形成される空間部に、奥壁５０を形成したことにより、嵌合空間部４０を形成したことによる、はね上げ側壁３の強度低下を防止ことができる。
【００２０】
また、上述した従来の折り畳みコンテナーの組み立て作業においては、はね上げ側壁３が、略垂直に立てられる直前においては、はね上げ側壁３の下端部の中央部に形成された嵌合凹部３ａを構成する上部限定水平梁３ｅと、底部２の短辺枠２ｂ１の中央部付近に位置する底板部２ａに形成された嵌合段部２ｃの上面とは、面接触することになり、このような面接触により、はね上げ側壁３が、略垂直に立てられる直前における回動抵抗が大きくなるが、本実施例においては、底部２の短辺枠２ｂ１の中央部付近に位置する底板部２ａに形成された嵌合段部２ｃの上面と、嵌合空間部４０の上部を限定する上部限定垂直リブ３０とは、実質的に線接触となり、従って、はね上げ側壁３が、略垂直に立てられる直前における回動抵抗が小さくなり、はね上げ側壁３の垂直方向への回動が容易になる。
【００２１】
【発明の効果】
本発明は、以上説明したように構成されているので、以下に記載されるような効果を奏する。
【００２２】
底部に形成された嵌合段部が嵌合する、はね上げ側壁の嵌合空間部の上部を、下部水平梁の下面から垂下された上部限定垂直リブにより限定したので、折り畳みコンテナーの洗浄作業の作業性が向上する。
【００２３】
また、従来の折り畳みコンテナーのように、上部限定水平梁と下部水平梁との間に、横長の狭い間隙が存在しないので、嵌合空間部を射出成形するための金型が損傷するようなことが防止できる。
【００２４】
更に、底部に形成された嵌合段部の上面と、嵌合空間部の上部を限定する上部限定垂直リブとが、実質的に線接触となるので、従って、はね上げ側壁が、略垂直に立てられる直前における回動抵抗が小さくなり、はね上げ側壁の垂直方向への回動が容易になる。
【００２５】
下部水平梁と１対の垂直梁とにより形成される、嵌合空間部が位置する空間部に、奥壁を形成したので、嵌合空間部を形成したことによる、はね上げ側壁の強度低下を防止ことができる。
【図面の簡単な説明】
【図１】図１は箱型に組み立てられる直前の状態の本発明の折り畳みコンテナーの部分斜視図である。
【図２】図２は本発明の折り畳みコンテナーを構成するはね上げ側壁の部分正面図である。
【図３】図３は本発明の折り畳みコンテナーを構成するはね上げ側壁の部分垂直側断面図である。
【図４】図４は箱型に組み立てられた本発明の折り畳みコンテナーのはね上げ側壁及び底部の部分垂直側断面図である。
【図５】図５は従来の折り畳みコンテナーが箱型に組み立てられた状態の斜視図である。
【図６】図６は従来の折り畳みコンテナーの組み立て途中或いは折り畳み途中の斜視図である。
【図７】図７は従来の折り畳みコンテナーが折り畳まれた状態の斜視図である。
【図８】図８は箱型に組み立てられる直前の状態の従来の折り畳みコンテナーの部分斜視図である。
【図９】図９は従来の折り畳みコンテナーを構成するはね上げ側壁の部分正面図である。
【符号の説明】
１・・・・・・・・上部フレーム
２・・・・・・・・底部
３・・・・・・・・はね上げ側壁
４・・・・・・・・分割側壁
４’・・・・・・・上部分割側壁
４”・・・・・・・下部分割側壁
３０・・・・・・・上部限定垂直リブ
４０・・・・・・・嵌合空間部
５０・・・・・・・奥壁
【図１】
2004161299.tif 000003
【図２】
2004161299.tif 000004
【図３】
2004161299.tif 000005
【図４】
2004161299.tif 000006
【図５】
2004161299.tif 000007
【図６】
2004161299.tif 000008
【図７】
2004161299.tif 000009
【図８】
2004161299.tif 000010
【図９】
2004161299.tif 000011